(57)【要約】【課題】既に読み上げられた音声の再生などを次回の読書開始時に適切に再開する。【解決手段】電子ブック１００が閉じられた場合であって読み上げモードである場合（Ｓ１１、１２で“Ｙ”）、次回の読み上げモードで朗読データの音声出力を再開する位置である再生再開位置が決定されて制御部７に記憶される（Ｓ１３）。再生再開位置は電子ブック１００が閉じられた時点に再生されている朗読音声から所定時間あるいは所定単位遡った時点である。再び電子ブック１００が開かれたとき（Ｓ１６で“Ｙ”）に制御部７に再生再開位置が記憶されている場合（Ｓ１８で“Ｙ”）、再生再開位置から朗読データの音声出力が開始される（Ｓ１９）。即ち、前回鑑賞を中断した位置から自然で適切に遡った位置である再生再開位置から朗読音声が再生されるため、前回鑑賞した部分とのつながりが分かり易くなる。【選択図】  図５
2005189906.tif 000002
【特許請求の範囲】
【請求項１】
文書を表示するための文書データを含むコンテンツデータを記憶するコンテンツデータ記憶手段と、
前記文書を読むことを開始する旨を指示する読書開始指示を受け付ける開始指示手段と、
前記読書開始指示が受け付けられたことに応じ、前記文書データに基づいて前記文書をページ単位で表示装置に表示させる表示制御手段と、
前記コンテンツデータに基づいて前記表示された文書の内容と関連する連続的表現を前記表示と同期させて再生装置に再生させる再生制御手段と、
前記文書を読むことを終了する旨を指示する読書終了指示を受け付ける終了指示手段と、
前記読書終了指示が受け付けられた時点である終了時点に基づき、前記連続的表現の再生を再開すべき位置である再開位置を決定する再開位置決定手段と、
前記再開位置を記憶する再開位置記憶手段と、
を備える電子ブック。
【請求項２】
前記再生制御手段は前記読書開始指示がさらに受け付けられたことに応じ、前記記憶された再開位置から前記連続的表現を再生させる請求項１に記載の電子ブック。
【請求項３】
前記連続的表現は動画であり、前記再生装置は前記表示装置である請求項１又は２に記載の電子ブック。
【請求項４】
前記連続的表現は前記文書の朗読音声であり、前記再生装置は音声再生装置である請求項１〜３のいずれかに記載の電子ブック。
【請求項５】
前記開始指示手段は見開き型の表示装置が開いたことを検知することで前記読書開始指示を受け付け、前記終了指示手段は前記見開き型の表示装置が閉じたことを検知することで前記読書終了指示を受け付ける請求項１〜４のいずれかに記載の電子ブック。
【請求項６】
前記再開位置決定手段は前記終了時点に再生されている連続的表現より前の時点に再生される連続的表現を再開位置として決定する請求項１〜５のいずれかに記載の電子ブック。
【請求項７】
前記再開位置決定手段は前記終了時点から所定時間遡った時点に再生される連続的表現を再開位置として決定する請求項６に記載の電子ブック。
【請求項８】
前記コンテンツデータ記憶手段は前記連続的表現を所定の再生単位ごとに区切る再生単位データを記憶しており、前記再開位置決定手段は前記再生単位データに基づき前記終了時点に再生されている再生単位より前の時点に再生される再生単位を再開位置として決定する請求項６に記載の電子ブック。
【請求項９】
前記文書の内容と関連する連続的表現を再生する旨を指示する再生指示を受け付ける再生指示手段をさらに備え、前記再生制御手段は前記再生指示が受け付けられたことに応じて前記読書開始指示から前記読書終了指示までの間前記連続的表現を連続再生させ、前記表示制御手段は前記連続再生に同期させて前記文書を表示させる請求項１〜８のいずれかに記載の電子ブック。
【発明の詳細な説明】
【技術分野】
【０００１】
本発明は、携帯型の電子ブックに関する。
【背景技術】
【０００２】
従来、携帯型の電子ブックについて、これまで読んだ部分から続きの部分を読ませることを可能にする技術が開発されている。例えば特許文献１によると、ページ番号にタッチして電子ブックを閉じるとブックマークが挿入され、電子ブックを再度開くと同じページが自動的に表示される。
【特許文献１】特表２０００−５０１２１４号公報
【発明の開示】
【発明が解決しようとする課題】
【０００３】
ところで、近年文書内容を音声にて自動的に読み上げる読み上げ機能を有する電子ブックが開発されているが、上述の特許文献１の技術ではページ番号にブックマークを挿入するだけであり、既に読み上げられた部分の再開については具体的な開示が全くなされていない。このような問題点に鑑み、本発明は既に読み上げられた音声の再生などを次回の読書開始時に適切に再開できるようにすることを目的とする。
【課題を解決するための手段】
【０００４】
請求項１に係る発明は、文書を表示するための文書データを含むコンテンツデータを記憶するコンテンツデータ記憶手段と、前記文書を読むことを開始する旨を指示する読書開始指示を受け付ける開始指示手段と、前記読書開始指示が受け付けられたことに応じ、前記文書データに基づいて前記文書をページ単位で表示装置に表示させる表示制御手段と、前記コンテンツデータに基づいて前記表示された文書の内容と関連する連続的表現を前記表示と同期させて再生装置に再生させる再生制御手段と、前記文書を読むことを終了する旨を指示する読書終了指示を受け付ける終了指示手段と、前記読書終了指示が受け付けられた時点である終了時点に基づき、前記連続的表現の再生を再開すべき位置である再開位置を決定する再開位置決定手段と、前記再開位置を記憶する再開位置記憶手段と、を備える電子ブック。
【０００５】
ここで、文書データとは、液晶モニタなどの表示装置に文書内容を表示させるためのデータであり、文書データはテキストファイルやビットマップファイルなどの各種形式で記憶できる。また、表示された文書の内容と関連する連続的表現とは、表示された文書内容と関連して再生される朗読音声、動画、静止画などである。この連続的表現を再生させるためのデータは予め電子ブックに記憶させていてもよいし、文書データから生成してもよい。例えば、テキストファイルに記憶される文書内容に基づいてその文書内容を読み上げる朗読音声を作成してもよい。
【０００６】
請求項２に係る発明は、前記再生制御手段は前記読書開始指示がさらに受け付けられたことに応じ、前記記憶された再開位置から前記連続的表現を再生させる請求項１に記載の電子ブック。
【０００７】
請求項３に係る発明は、前記連続的表現は動画であり、前記再生装置は前記表示装置である請求項１又は２に記載の電子ブック。
【０００８】
請求項４に係る発明は、前記連続的表現は前記文書の朗読音声であり、前記再生装置は音声再生装置である請求項１〜３のいずれかに記載の電子ブック。
【０００９】
請求項５に係る発明は、前記開始指示手段は見開き型の表示装置が開いたことを検知することで前記読書開始指示を受け付け、前記終了指示手段は前記見開き型の表示装置が閉じたことを検知することで前記読書終了指示を受け付ける請求項１〜４のいずれかに記載の電子ブック。
【００１０】
請求項６に係る発明は、前記再開位置決定手段は前記終了時点に再生されている連続的表現より前の時点に再生される連続的表現を再開位置として決定する請求項１〜５のいずれかに記載の電子ブック。
【００１１】
請求項７に係る発明は、前記再開位置決定手段は前記終了時点から所定時間遡った時点に再生される連続的表現を再開位置として決定する請求項６に記載の電子ブック。
【００１２】
請求項８に係る発明は、前記コンテンツデータ記憶手段は前記連続的表現を所定の再生単位ごとに区切る再生単位データを記憶しており、前記再開位置決定手段は前記再生単位データに基づき前記終了時点に再生されている再生単位より前の時点に再生される再生単位を再開位置として決定する請求項６に記載の電子ブック。
【００１３】
請求項９に係る発明は、前記文書の内容と関連する連続的表現を再生する旨を指示する再生指示を受け付ける再生指示手段をさらに備え、前記再生制御手段は前記再生指示が受け付けられたことに応じて前記読書開始指示から前記読書終了指示までの間前記連続的表現を連続再生させ、前記表示制御手段は前記連続再生に同期させて前記文書を表示させる請求項１〜８のいずれかに記載の電子ブック。
【発明の効果】
【００１４】
上記発明によると、読書開始指示に応じて表示装置に文書がページ単位で表示され、これに同期して音声や動画などの連続的表現が再生される。読書終了指示が受け付けられると、その時点である終了時点に基づいて連続的表現の再生を再開すべき位置である再開位置が決定される。即ち、読書終了指示を行なうだけで再開位置が自動的に定まり、次に読書を再開するときにこの再開位置から音声や動画などの連続的表現を再生することができる。再開位置の決定は、終了時点に再生されている連続的表現より前の時点、例えば所定時間や所定の再生単位だけ遡った時点に再生される連続的表現を再開位置と決定してもよい。このようにすれば、後で読書を再開するときに、連続的表現の前後のつながりが読者に分かりやすいように適切に決定される。そして、次回に読書を再開したときに読書を終了した箇所から所定時間あるいは所定の再生単位だけ遡った位置から連続的表現が再生されることになり、読書を中断した箇所以前の内容と再開した箇所以後の内容とのつながりが分かり易くなる。さらに、見開き型の表示装置を閉じることで読書終了指示を受け付けてもよく、この場合見開き型の表示装置を閉じるだけで自然で適切な連続的表現の再開位置が決定される。
【発明を実施するための最良の形態】
【００１５】
以下、添付した図面を参照し本発明の好ましい実施例を説明する。
【実施例１】
【００１６】
（１）概略構成
図１及び２は本発明の好ましい実施例に係る見開き型の電子ブック１００の外観を示す。このうち、図１（ａ）は電子ブック１００の背面、（ｂ）は右側面、（ｃ）は正面、（ｄ）は左側面、（ｅ）は上側面、（ｆ）は下側面を示す。図１（ａ）・（ｃ）に示すように、電子ブック１００の背面・正面にはそれぞれ裏表紙表示装置１・表表紙表示装置６が設けられている。また、図１（ｄ）に示すように、電子ブック１００の左側面には第１背表紙表示装置８及び第２背表紙表示装置９が設けられている。また、図１（ａ）・（ｅ）に示すように、電子ブック１００の上側面にはアンテナ２と電源スイッチ３が設けられている。また、図１（ｆ）に示すように、電子ブック１００の下側面にはメモリカードなどの記憶媒体２５を挿入するための挿入口１０が設けられている。
【００１７】
図２（ａ）、（ｂ）は電子ブック１００を開いた状態を示す。図２（ａ）に示すように、開いた電子ブック１００の左側には左頁表示装置１１、ブック開閉検出部１３、左頁Ｆ／Ｒスイッチ１４が設けられ、右側には右頁表示装置１２、右頁Ｆ／Ｒスイッチ１５、突起１６が設けられている。図２（ｂ）に示すように、左頁表示装置１１、右頁表示装置１２にはそれぞれ透明な左頁タッチパネル１７、右頁タッチパネル１８が積層されている。
【００１８】
（２）機能構成
図３は電子ブック１００の機能ブロック図である。電子ブック１００は、ＭＣＵ（Microcontroller Unit）などで構成され各種演算及び各種データの記憶を行なう制御部７と、アンテナ２により各種データを無線送受信する通信部２２と、Ｒ／Ｗ制御部２３と、音声コントローラ１９と、第１表示コントローラ２０と、第２表示コントローラ２１と、内蔵バッテリーや家庭用電源などにより電子ブック１００の各所に電力を供給する電力供給部２６とを備える。制御部７、通信部２２、Ｒ／Ｗ制御部２３、音声コントローラ１９、第１表示コントローラ２０、第２表示コントローラ２１及び電力供給部２６はバスで接続されている。
【００１９】
制御部７は、ブック開閉検出部１３、電源スイッチ３、左頁Ｆ／Ｒスイッチ１４、右頁Ｆ／Ｒスイッチ１５、左頁タッチパネル１７、右頁タッチパネル１８、挿抜検出部２４と接続されて各種信号を入力する。ブック開閉検出部１３は、電子ブック１００を閉じたときに突起１６により押下されるように配置されている。そして、突起１６により押下された場合電子ブック１００が閉じられたことを示す信号を、押下されていない場合電子ブック１００が開かれたことを示す信号をそれぞれ制御部７に出力する。電源スイッチ３は、電力供給部２６に電力供給のオン・オフを指示するスイッチである。左頁Ｆ／Ｒスイッチ１４、右頁Ｆ／Ｒスイッチ１５は、後述のように現在左頁表示装置１１及び右頁表示装置１２に表示されているページを次ページ以降の文書に切り替えるよう指示する（ページ送り指示）あるいは次ページ以前の文書を表示するよう指示する（ページ戻し指示）スイッチである。挿抜検出部２４は記憶媒体２５が挿入口１０に挿入されたことまたは挿入口１０から取り出されたことを検出する。挿抜検出部２４はＲ／Ｗ制御部２３に設けてもよい。
【００２０】
左頁タッチパネル１７、右頁タッチパネル１８はそれぞれ縦横方向の各々に沿ってマトリクス状に所定の抵抗値を有しており、ユーザの指などが接触すると上記の抵抗値が変化し、このときの電流値の変化を検出することで接触位置を検出することができる。ここで、制御部７は左頁タッチパネル１７、右頁タッチパネル１８の検出した接触位置に応じて各種処理を開始させることができる。例えば、図２（ｂ）に示すように左頁表示装置１１に表示されている特定の表示位置３０を触れると左頁タッチパネル１７はこの位置を検出し、制御部７はこの検出に応じて表示内容に関するホームページを通信部２２によりダウンロードする。あるいは、記憶媒体２５などに別途記憶している各種コメント（脚注）や国語辞典の単語の意味などを表示させてもよい。あるいは、右頁表示装置１２に表示されている静止画３１に触れると右頁タッチパネル１８はこれを検出し、制御部７はこの検出に応じて左頁表示装置１１又は右頁表示装置１２に動画や登場人物の説明や各種コメント（脚注）などを表示させてもよい。特にこの実施例では、図２（ｂ）に示すように右頁表示装置１２には自動頁送りボタン５０及び読み上げボタン４０が表示されており、右頁タッチパネル１８は自動頁送りボタン５０及び読み上げボタン４０に触れたことを検出しその検出結果を制御部７に出力する。
【００２１】
Ｒ／Ｗ制御部２３は、挿入口１０に挿入された記憶媒体２５に記憶されるテキストデータ、そのテキストデータの文書を朗読する音声データである朗読データ、後述のタイトルデータ及び表紙データ、その他文書の内容と関連する静止画・動画・音声などの各種のデータを含むコンテンツデータを読み出し、また各種データを記憶媒体に書き込む。コンテンツデータはアンテナ２を介して通信部２２が受信してもよく、以下の記述において記憶媒体２５に記憶されるコンテンツデータを通信部２２が受信したコンテンツデータと置き換えても動作内容は同様である。後述のように左頁表示装置１１、右頁表示装置１２に表示される文書はページ単位であるため、テキストデータは右頁テキストデータ及び左頁テキストデータに分離されており、各頁の右頁テキストデータ及び左頁テキストデータには一意的なページ番号が付与されている。
【００２２】
第１表示コントローラ２０は、コンテンツデータに含まれる裏表紙表示データ及び表表紙表示データ（以下これらをまとめて表紙データという）、並びに第１背表紙表示データ及び第２背表紙表示データ（以下これらをまとめてタイトルデータという）で示される表示内容を、それぞれ裏表紙表示装置１、表表紙表示装置６、第１背表紙表示装置８及び第２背表紙表示装置９に表示させる。例えば、裏表紙表示データ、表表紙表示データ、第１背表紙表示データ及び第２背表紙表示データがそれぞれテキストデータ「MARGARET MITCHELL」、「GONE WITH THE WIND」、「GONE WITH THE WIND」、「M. MITCHELL」の場合、裏表紙表示装置１、表表紙表示装置６、第１背表紙表示装置８及び第２背表紙表示装置９に表示される内容は図１（ａ）〜（ｄ）のようになる。このように、表紙データやタイトルデータを用いて裏表紙表示装置１、表表紙表示装置６、第１背表紙表示装置８及び第２背表紙表示装置９に図書のタイトルや作者などを表示すれば、電子ブック１００をいちいち開いて文書を読まなくても図書内容を確認できる。また、第１表示コントローラ２０は裏表紙表示装置１、表表紙表示装置６、第１背表紙表示装置８及び第２背表紙表示装置９の表示内容を適宜更新するが、この処理は後述する。
【００２３】
第２表示コントローラ２１は、コンテンツデータに含まれる図書本文のテキストデータと左頁Ｆ／Ｒスイッチ１４及び右頁Ｆ／Ｒスイッチ１５の操作に基づき、左頁表示装置１１及び右頁表示装置１２に図書本文の文書をページ単位で表示させる。ここで、左頁Ｆ／Ｒスイッチ１４・右頁Ｆ／Ｒスイッチ１５の操作とページ送り指示・ページ戻し指示の対応は、本文の表示を右開き又は左開きにする（コンテンツデータで指示される）かに応じて変化しうる。例えば、図２（ａ）のように図書本文を左開き（横組み）で表示させる場合、左頁Ｆ／Ｒスイッチ１４は頁戻し指示即ち前のページを表示させる指示のみ、右頁Ｆ／Ｒスイッチ１５は頁送り指示即ち次のページを表示させる指示のみをなしうる。逆に、図書本文を右開き（縦組み）で表示させる場合、左頁Ｆ／Ｒスイッチ１４は頁送り指示のみ、右頁Ｆ／Ｒスイッチ１５は頁戻し指示のみをなしうる。このように、左頁Ｆ／Ｒスイッチ１４及び右頁Ｆ／Ｒスイッチ１５を操作することで、左頁表示装置１１及び右頁表示装置１２に表示される文書のページを通常の図書と同様に進めたり戻したりできる。
【００２４】
音声コントローラ１９は、コンテンツデータに含まれる朗読データなどのステレオ信号を左右のアナログオーディオ信号へ変換し、この左右のアナログオーディオ信号はそれぞれＬｃｈスピーカ４、Ｒｃｈスピーカ５から音声として出力される。音声コントローラ１９はノイズとなる高い周波数成分をアナログオーディオ信号から除去する処理やアナログオーディオ信号を増幅する処理を行なってもよい。なお、朗読データの音声出力（再生）は、ユーザの指などが読み上げボタン４０（図２（ｂ）参照）に触れたことを右頁タッチパネル１８が検出した場合に開始する。即ち、ユーザは読み上げボタン４０に触れることで図書を音声で楽しむことができ、左頁表示装置１１及び右頁表示装置１２に表示される文書を読む必要がなくなる。以下、朗読データの音声出力がなされている状態を読み上げモードという。読み上げモードのときは、第２表示コントローラ２１は朗読音声に対応する内容を有するページを音声出力と同期させて左頁表示装置１１及び右頁表示装置１２に表示させてもよいし、表示させなくてもよい。また、読み上げモードのときは、朗読データの音声出力は電子ブック１００が閉じられるまで連続的にされ、かつ文書内容の表示は音声出力に同期して自動的に切り替わる。即ち、再生される音声と同内容の文章を表すページが音声再生の進行とともに逐次切り替わって表示されるものとする。このようにすれば、音声鑑賞時にいちいち左頁Ｆ／Ｒスイッチ１４や右頁Ｆ／Ｒスイッチ１５を操作しなくても文書を音声とともに連続的に鑑賞できる。
【００２５】
なお、裏表紙表示装置１、表表紙表示装置６、第１背表紙表示装置８、第２背表紙表示装置９、左頁表示装置１１及び右頁表示装置１２は記憶型液晶（コレステリック液晶）で構成されることが好ましい。
【００２６】
（３）動作
（３−１）表示更新処理
次に、図４のフローチャートに基づき電子ブック１００の実行する表示更新処理を説明する。この処理は記憶媒体２５が挿入口１０に挿入されたときに裏表紙表示装置１、表表紙表示装置６、第１背表紙表示装置８及び第２背表紙表示装置９の表示を更新させる動作である。
【００２７】
Ｓ１では、第１表示コントローラ２０は、記憶媒体２５が挿入口１０に挿入されたことを挿抜検出部２４が検出したか否かを判断する。挿入が検出された場合はＳ２に移行し、検出されなかった場合はＳ４に移行する。Ｓ２では、第１表示コントローラ２０は記憶媒体２５からタイトルデータ及び表紙データを読み込む。Ｓ３では、第１表示コントローラ２０はＳ２で読み込んだタイトルデータ及び表紙データで示される表示内容を裏表紙表示装置１、表表紙表示装置６、第１背表紙表示装置８及び第２背表紙表示装置９に表示させる。Ｓ４では、第１表示コントローラ２０は記憶媒体２５が挿入口１０から抜去されたことを挿抜検出部２４が検出したか否かを判断する。抜去が検出された場合はＳ５に移行し、検出されなかった場合はＳ６に移行する。Ｓ５では、第１表示コントローラ２０は裏表紙表示装置１、表表紙表示装置６、第１背表紙表示装置８及び第２背表紙表示装置９の表示する内容を消去させる。Ｓ６では、電力供給部２６のバッテリー残量が十分であるか否かを判断する。残量が十分である場合はＳ１に戻り、十分でない場合はＳ７に移行する。なお、電力供給部２６が家庭用電源を供給する場合は自動的にＳ１に戻るようにしてもよい。Ｓ７では、バッテリーが残り少ない旨の警告を裏表紙表示装置１、表表紙表示装置６、第１背表紙表示装置８あるいは第２背表紙表示装置９に表示させる。あるいは、音声コントローラ１９の制御により、バッテリーが残り少ない旨の警告音声をＬｃｈスピーカ４やＲｃｈスピーカ５から出力させてもよい。
【００２８】
（３−２）再開処理
次に、図５のフローチャートに基づき電子ブック１００の実行する再開処理を説明する。この処理は電子ブック１００が開かれて文書の表示や朗読音声の再生が開始された後に開始する。
【００２９】
Ｓ１１では、制御部７は電子ブック１００が閉じられたことをブック開閉検出部１３が検出したか否かを判断する。閉じられたことが検出された場合はＳ１２へ移行し、検出されない場合は検出されるまで上記判断を繰り返す。Ｓ１２では、制御部７は現在読み上げモードが設定されているか否かを判断する。読み上げモードが設定されている場合はＳ１３に移行し、設定されていない場合はＳ１４に移行する。Ｓ１３では、制御部７はＳ１１の電子ブック１００が閉じられたことが検出された時点（以下閉時点という）に基づき、次回の読み上げモードで朗読データの音声出力を再開する位置である再生再開位置を決定し記憶する。再生再開位置の決定は次のようにして行うことができる。例えば、閉時点に再生されている朗読音声から所定時間（例えば５秒間）遡った時点の朗読音声を再生再開位置と決定してもよい。あるいは、朗読データを再生すべき単位である再生単位に予め区切っておき、閉時点に再生されている再生単位より１つ前に遡った再生単位を再生再開位置と決定してもよい。例えば、予め朗読データを単語、句、節、文、段落、章などの単位で区切り、これを再生単位とする。そして、再生単位が段落であれば、閉時点に再生されている段落より１つ前の段落を再生再開位置と決定すればよい。なお、再生単位は左頁タッチパネル１７や右頁タッチパネル１８の操作によりユーザが任意に設定できるようにしてもよい。
【００３０】
Ｓ１４では、制御部７は閉時点に左頁表示装置１１及び右頁表示装置１２に表示されている文書のページ番号を読書終了頁（いわゆるブックマークに相当）として記憶する。Ｓ１５では、制御部７は電力供給部２６を制御し、裏表紙表示装置１、表表紙表示装置６、第１背表紙表示装置８及び第２背表紙表示装置９を除く表示系統即ち第１表示コントローラ２０、第２表示コントローラ２１、左頁表示装置１１及び右頁表示装置１２と、音声再生系統即ち音声コントローラ１９、Ｌｃｈスピーカ４及びＲｃｈスピーカ５への電力供給を停止させる。なお、表紙表示装置１、表表紙表示装置６、第１背表紙表示装置８及び第２背表紙表示装置９が記憶型液晶（コレステリック液晶）で構成されていれば、電子ブック１００が閉じられた状態の消費電力が小さくて済むことになる。
【００３１】
Ｓ１６では、制御部７は電子ブック１００が開かれたことをブック開閉検出部１３が検出したか否かを判断する。開かれたことが検出された場合はＳ１７へ移行し、検出されない場合は検出されるまで上記判断を繰り返す。Ｓ１７では、制御部７は電力供給部２６を制御してＳ１５で電力供給を停止している表示系統及び音声再生系統への電力供給を再開させる。Ｓ１８では、制御部７は再生再開位置を記憶しているか否かを判断する。再生再開位置を記憶している場合はＳ１９に移行し、記憶していない場合はＳ２０に移行する。Ｓ１９では、音声コントローラ１９は再生再開位置から朗読データの音声出力を開始する。なお、上述のように文書内容の表示は音声出力に同期して自動的に切り替わるが、自動頁送りボタン５０（図２（ｂ）参照）の押下に応じてこの自動表示切替を開始あるいは終了させてもよい。Ｓ２０では、第２表示コントローラ２１はＳ１４で記憶した読書終了頁の文書を左頁表示装置１１及び右頁表示装置１２に表示させる。
【００３２】
（４）本実施例に係る電子ブックの特徴
上述のように、電子ブック１００が閉じられた場合であって読み上げモードである場合（Ｓ１１、１２で“Ｙ”）、次回の読み上げモードで朗読データの音声出力を再開する位置である再生再開位置が決定されて制御部７に記憶される（Ｓ１３）。再生再開位置は電子ブック１００が閉じられた時点に再生されている朗読音声から所定時間あるいは所定単位遡った時点である。再び電子ブック１００が開かれたとき（Ｓ１６で“Ｙ”）に制御部７に再生再開位置が記憶されている場合（Ｓ１８で“Ｙ”）、再生再開位置から朗読データの音声出力が開始される（Ｓ１９）。即ち、前回鑑賞を中断した位置から自然で適切に遡った位置である再生再開位置から朗読音声が再生されるため、前回鑑賞した部分とのつながりが分かり易くなる。
【００３３】
また、記憶媒体２５が挿入口１０に挿入されると（Ｓ１で“Ｙ”）、記憶媒体２５からタイトルデータ及び表紙データが読み込まれ（Ｓ２）、このタイトルデータ及び表紙データで示される表示内容が裏表紙表示装置１、表表紙表示装置６、第１背表紙表示装置８及び第２背表紙表示装置９に表示される（Ｓ３）。即ち、記憶媒体２５の交換に応じて裏表紙表示装置１、表表紙表示装置６、第１背表紙表示装置８及び第２背表紙表示装置９の表示内容が更新されるため、電子ブック１００が閉じられた場合であってもこの表示を見て図書の内容を判別でき、記憶媒体２５の交換の度にいちいち電子ブック１００を開いて左頁表示装置１１及び右頁表示装置１２を見て図書の内容を確認する必要がなくなる。
【実施例２】
【００３４】
実施例１の再開処理のＳ１３で決定される再生再開位置は朗読データに限らず、その他の音声データ、動画データ、静止画データであっても可能である。例えば、記憶媒体２５に記憶されるコンテンツデータには動画データが含まれており、この動画データにはシーンなどの予めまとまった意味内容ごとなどに再生単位が設定されているとする。第２表示コントローラ２１の制御により、左頁表示装置１１あるいは右頁表示装置１２に動画データに基づく動画が再生されているときに電子ブック１００が閉じられた場合、上述と同様閉時点に再生されている再生単位より１つ前の再生単位を再生再開位置と決定すればよい。あるいは閉時点から所定時間（例えば５秒間）遡った時点を再生再開位置と決定してもよい。このようにしても、動画を鑑賞する場合、前回鑑賞した部分とのつながりが分かり易くなり、電子ブック１００の使い勝手が向上する。
【実施例３】
【００３５】
実施例１の表示更新処理は通信部２２の受信したタイトルデータ及び表紙データについても同様に実行できる。具体的には、Ｓ１では通信部２２はタイトルデータ及び表紙データを受信したか否かを判断し、受信した場合はＳ３と同様この受信したタイトルデータ及び表紙データに基づいて表示を更新すればよい。
【実施例４】
【００３６】
実施例１のＳ１１において電子ブック１００が閉じられたことをブック開閉検出部１３が検出した場合、裏表紙表示装置１、表表紙表示装置６、第１背表紙表示装置８及び第２背表紙表示装置９には、読書終了頁や読書終了頁の文書の全部又は一部を表示させてもよい。このようにすれば、電子ブック１００が閉じられていても読書を中断した箇所を確認できる。なお、左頁タッチパネル１７や右頁タッチパネル１８の操作によりこのような表示をするか否かを指示できるようにしてもよい。
【図面の簡単な説明】
【００３７】
【図１】本発明の好ましい実施例に係る電子ブックの外観。
【図２】本発明の好ましい実施例に係る電子ブックの外観。
【図３】電子ブックの機能構成図。
【図４】表示更新処理の流れを示すフローチャート。
【図５】再開処理の流れを示すフローチャート。
【符号の説明】
【００３８】
１・・裏表紙表示装置、６・・表表紙表示装置、７・・制御部、８・・第１背表紙表示装置、９・・第２背表紙表示装置、１１・・左頁表示装置、１２・・右頁表示装置、１４・・左頁Ｆ／Ｒスイッチ、１５・・右頁Ｆ／Ｒスイッチ、１７・・左頁タッチパネル、１８・・右頁タッチパネル、２０・・第１表示コントローラ、２１・・第２表示コントローラ、２４・・挿抜検出部
【図１】
2005189906.tif 000003
【図２】
2005189906.tif 000004
【図３】
2005189906.tif 000005
【図４】
2005189906.tif 000006
【図５】
2005189906.tif 000007